(57)【要約】【課題】記録物質層を通過する透過光を吸収することにより、使用者の安全を改善することができるホログラフィックデータ記憶媒体を提供する。【解決手段】本発明の媒体は、レーザビームを吸収するためのレーザ吸収層を含み、このレーザ吸収層はホログラム形態に情報を記録するための記録物質層上に形成される。【選択図】図２
2004361926.tif 000002
【特許請求の範囲】
【請求項１】
ホログラフィックデータ記憶媒体において、
情報をホログラム形態に記録するための記録物質層と、
レーザビームを吸収するためのレーザ吸収層とを含んでなることを特徴とするホログラフィックデータ記憶媒体。
【請求項２】
前記レーザ吸収層が前記記録物質層の上方に形成されることを特徴とする請求項１に記載のホログラフィックデータ記憶媒体。
【請求項３】
前記記録物質層の下面に形成される下部基板層と、
前記記録物質層の上面に形成される上部基板層とをさらに含み、
前記レーザ吸収層は前記上部基板層の上面に形成されることを特徴とする請求項２に記載のホログラフィックデータ記憶媒体。
【請求項４】
前記レーザ吸収層の上面に形成されるラベル層をさらに含むことを特徴とする請求項３に記載のホログラフィックデータ記憶媒体。
【請求項５】
前記レーザ吸収層がラベル層の役割をすることを特徴とする請求項４に記載のホログラフィックデータ記憶媒体。
【発明の詳細な説明】
【技術分野】
【０００１】
本発明はホログラフィックデータ記憶媒体に係り、より詳しくはレーザビームを吸収するためのレーザ吸収層を備えて、使用者の安全を改善することができるホログラフィックデータ記憶媒体に関するものである。
【背景技術】
【０００２】
最近、様々のホログラフィックデータ記憶媒体が開発されている。このなかで、例えばホログラフィックＷＯＲＭ（Write Once Read Many）ディスク及びホログラフィック書換可能（rewritable）ディスクは、光に露出する場合、ディスク内に記録されたデータが損失され得る。したがって、このようなホログラフィックデータ記憶媒体は、一般に光から保護するため、カートリッジに収容される。
【０００３】
一方、ほかのタイプのホログラフィック記憶媒体、例えばホログラフィックＲＯＭディスクは、レプリケーション（replication）工程後、記録物質に残留する光敏感性を、紫外線又は可視光線を用いて除去する後処理工程を経る。したがって、このようなディスクは、光に露出しても、ディスク内に記録されたデータが損失される問題が発生しないので、カートリッジが不要である。
【０００４】
図１は従来のホログラフィックＲＯＭディスクの断面図である。同図に示すように、従来のホログラフィックロムディスクは、下部基板層１００、該下部基板層１００の上面に形成されたホログラフィック記録物質層１０２、該記録物質層１０２の上面に形成された上部基板層１０４、該上部基板層１０４の上面に形成されたラベル層１０６を含む。上部及び下部基板層１００、１０４は、例えば透明ポリカーボネイト（transparent polycarbonate）からなる。記録物質層１０２はホログラフィック物質、例えばフォトポリマ（photopolymer）からなるもので、ホログラム形態にデータを記録する。
【０００５】
このような従来のホログラフィックロムディスクにホログラム形態に記録されたデータはレーザビーム（以下、再生用参照光）により再生される。すなわち、ホログラフィックロムディスクに再生用参照光が入射すると、再生用参照光の一部がホログラム（干渉模様）により回折して再生信号光となる。この再生信号光はホログラフィックロムシステムのピックアップモジュールにより電気的信号に変換され、つぎにこの電気的信号はデータ処理段階を経る。この際、記録物質層１０２に記録されたホログラムにより、回折していない再生用参照光は記録物質層１０２を通過する透過光となる。この透過光は上部基板層１０４及びラベル層１０６を通過してホログラフィックロムディスクの外部に照射される。また、一般に、このようなホログラフィックロムディスクの再生回折効率（再生信号光／再生参照光）が２０％以下であるため、透過光の強度は再生参照光の８０％以上となる。
【０００６】
以上のような透過光は、ホログラフィックロムディスクから外部に照射されるため、ホログラフィックロムシステムの外部に漏出する可能性がある。また、ホログラフィックロムシステムの修理などのため、ケーシングが除去された状態でホログラフィックロムシステムが作動する場合、透過光が直接人体に照射され得る。特に、眼球に照射される場合、眼球に大きな危険を来し得る。
【発明の開示】
【発明が解決しようとする課題】
【０００７】
したがって、本発明の目的は、記録物質層を通過する透過光を吸収することにより、使用者の安全を改善することができるホログラフィックデータ記憶媒体を提供することにある。
【課題を解決するための手段】
【０００８】
前記のような目的を達成するため、本発明は、レーザビームを吸収するためのレーザ吸収層を含み、このレーザ吸収層はホログラム形態に情報を記録するための記録物質層上に形成される。
【発明の効果】
【０００９】
以上のような本発明のホログラフィックロムディスクは、透過光がホログラフィックロムディスクから放出されることを防止することにより、使用者の安全を改善することができる。
【発明を実施するための最良の形態】
【００１０】
以下、本発明の好ましい実施例を添付図面に基づいて詳細に説明する。図２及び図３では、同一の部材には同一の符号を付ける。
【００１１】
図２は本発明の好ましい第１実施例によるホログラフィックロムディスクの断面を示す。同図に示すように、本発明の第１実施例によるホログラフィックロムディスクは、例えば透明なポリカーボネイトからなった下部及び上部基板層２００、２０４、該下部及び上部基板層２００、２０４間に形成され、ホログラム（干渉模様）形態に情報を記録するための記録物質層２０２、上部基板層２０４の上面に形成され、記録物質層２０２を通過する透過光を吸収するためのレーザ吸収層２０８、及び該レーザ吸収層２０８の上面に形成され、ディスクのタイトルなどを書き込むためのラベル層２０６を含む。
【００１２】
このような構造により、記録物質層２０２を通過した透過光が上部基板層２０４は通過するが、例えばニッケル（Ｎｉ）、クロム（Ｃｒ）、コバルト（Ｃｏ）及び鉄（Ｆｅ）のような元素を含有するＩｎｃｏｎｅｌのようなレーザ吸収物質で、適切な厚さを有するように形成されたレーザ吸収層２０８により吸収されるため、本実施例のホログラフィックロムディスクは、透過光がホログラフィックロムディスクの外部に発散することを防止することができる。
【００１３】
本実施例によるホログラフィックロムディスクから、ホログラム形態に記録された情報を再生するため、再生参照光がホログラフィックロムディスクに照射されると、再生用参照光の一部がホログラムにより回折して再生信号光となり、再生用参照光の残りは記録物質層２０２を透過する透過光となる。再生信号光は、ホログラフィックロムシステムのピックアップモジュールにより、電気的信号に変換される。記録物質層２０２を通過した透過光は上部基板層２０４を通過した後、上部基板層２０４の上面に形成されたレーザ吸収層２０８に到達する。例えば、ニッケル（Ｎｉ）、クロム（Ｃｒ）、コバルト（Ｃｏ）及び鉄（Ｆｅ）のような元素を含有するＩｎｃｏｎｅｌのようなレーザ吸収物質で形成され、適切な厚さを有するレーザ吸収層２０８は、吸収層２０８に到達した透過光を吸収する。したがって、本発明のホログラフィックロムディスクによると、データを再生する間、記録物質層２０２で回折しないで記録物質層２０２を透過した再生参照光である透過光がホログラフィックディスクの外部に放出されることを防止するため、使用者の安全が改善される。
【００１４】
本実施例において、レーザ吸収層は上部基板層とラベル層間に形成されているが、記録物質層と上部基板層間に形成することもできる。
【００１５】
図３は本発明の好ましい第２実施例によるホログラフィックロムディスクの断面図である。ここで、図２の要素と同一のものには同一の符号を付け、その要素についての説明は便宜上省略する。
【００１６】
図３に示すように、本実施例によるホログラフィックロムディスクは、レーザ吸収層がラベル層の役割も果たすことを除き、本発明の第１実施例と同一である。すなわち、上部基板層２０４の上面には記録物質２０２を通過する透過光を吸収し得る物質、例えばニッケル（Ｎｉ）、クロム（Ｃｒ）、コバルト（Ｃｏ）及び鉄（Ｆｅ）のような元素を含有するＩｎｃｏｎｅｌのようなレーザ吸収物質を含む物質で、適切な厚さを有するように形成されたレーザ吸収ラベル層３０６が形成される。
【００１７】
レーザ吸収ラベル層３０６は、記録物質層２０２を通過した透過光が到達すると、これを吸収する。さらに、レーザ吸収ラベル層３０６はディスクのタイトルなどを記録可能にするラベル層の機能も果たす。したがって、透過光がホログラフィックロムディスクの外部に放出されることを防止することができるだけでなく、ラベル層とレーザ吸収層を単一層に形成することができるので、ディスク製造工程を減らすことができる。
【００１８】
本実施例によるホログラフィックロムディスクから、ホログラム形態に記録された情報を再生するため、再生参照光がホログラフィックロムディスクに照射されると、再生参照光の一部がホログラムにより回折して再生信号光となり、再生参照光の残りは記録物質層２０２を透過する透過光となる。再生信号光は、ホログラフィックロムシステムのピックアップモジュールにより、電気的信号に変換される。記録物質層２０２を通過した透過光は上部基板層２０４を通過した後、上部基板層２０４の上面に形成されたレーザ吸収ラベル層３０６に到達する。レーザ吸収ラベル層３０６は到達した透過光を吸収する。したがって、本発明のホログラフィックロムディスクによると、データを再生する間、記録物質層２０２で回折しないで記録物質層２０２を透過した再生参照光である透過光がホログラフィックディスクの外部に放出されることを防止するため、使用者の安全が改善される。
【図面の簡単な説明】
【００１９】
【図１】従来のホログラフィックロムディスクの断面図である。
【図２】本発明の第１実施例によるホログラフィックロムディスクの断面図である。
【図３】本発明の第２実施例によるホログラフィックロムディスクの断面図である。
【符号の説明】
【００２０】
１００    下部基板層
１０２    記録物質層
１０４    上部基板層
１０６    ラベル層
２００    下部基板層
２０２    記録物質層
２０４    上部基板層
２０６    ラベル層
２０８    レーザ吸収層
３０６    レーザ吸収ラベル層
【図１】
2004361926.tif 000003
【図２】
2004361926.tif 000004
【図３】
2004361926.tif 000005